(57)【要約】【課題】効率のよい拡散光束の利用を可能とする配光制御方法及び装置を提供する。【解決手段】それぞれ断面がほぼ円の一部を形成し且つ表面が実質的な鏡面である多数の突条Ｕを有する細長い板状またはフィルム状の複数枚の構造体１が、互いの突条Ｕが平行になると共に互いの面が所定の間隔ｄを隔てて平行に対向するように配列される。構造体１の表面の点ｉに、ある入射角で光線Ｌが入射すると、突条Ｕの並びによる回折効果により、反射においても透過においても、点ｉを頂点とし且つ突条Ｕに平行な線を中心軸Ｃとする円錐の面状に拡散し、拡散反射光束Ｆｒは縦半分の円錐の面状に拡がり、拡散透過光束Ｆｔは残る縦半分の円錐の面状に拡がる。【選択図】図２
2006073366.tif 000002
【特許請求の範囲】
【請求項１】
少なくとも光透過性または光反射性を有する板状またはフィルム状の構造体であって、少なくともその一面上に互いに平行で且つ十分に近接して並ぶ多数の突条を有すると共にその突条の長手方向に直交する突条の断面がほぼ円の一部を形成し、それらの突条の表面が実質的な鏡面である構造体の多数の突条に光を入射させ、
入射点を通り且つ突条に平行な線を中心軸として円錐面状または半円錐面状に光を拡散させる
ことを特徴とする配光制御方法。
【請求項２】
それぞれ少なくとも光透過性または光反射性を有する板状またはフィルム状の構造体であって、少なくともその一面上に互いに平行で且つ十分に近接して並ぶ多数の突条を有すると共にその突条の長手方向に直交する突条の断面がほぼ円の一部を形成し、それらの突条の表面が実質的な鏡面である複数枚の構造体を、互いの突条が平行になり且つ互いの面が所定の間隔を隔てて平行に対向するように配列し、
各構造体の突条に入射した光のその突条に平行な線を中心軸とする円錐面状または半円錐面状に伝播する拡散光が配光しようとする方向に向けられることを特徴とする配光制御装置。
【請求項３】
各構造体の両面上にそれぞれ多数の突条が形成された請求項２に記載の配光制御装置。
【請求項４】
各構造体は細長い板状またはフィルム状を有し、多数の突条は各構造体の長手方向と交錯する方向に沿って形成された請求項２または３に記載の配光制御装置。
【請求項５】
各構造体は、長手方向に直交する断面が屈曲形状またはＶ字形状を有する請求項４に記載の配光制御装置。
【請求項６】
複数枚の構造体の配列方向に対する各構造体の角度を変化させる調整機構をさらに備えた請求項２〜５のいずれか一項に記載の配光制御装置。
【請求項７】
外光が差し込まれる窓に設置されると共に窓の面に沿って複数枚の構造体が配列され、各構造体の突条による拡散光を室内に向かって取り入れる請求項２〜６のいずれか一項に記載の配光制御装置。
【請求項８】
建造物の日陰となる部分の上方で且つ外光が差し込まれる箇所に設置され、各構造体の突条による拡散光を建造物の日陰となる部分に向かって取り入れる請求項２〜６のいずれか一項に記載の配光制御装置。
【請求項９】
温室の天井部及び壁部のうち少なくとも一方またはその近傍に設置され、各構造体の突条による拡散光を温室内部に向かって取り入れる請求項２〜６のいずれか一項に記載の配光制御装置。
【請求項１０】
請求項２〜６のいずれか一項に記載の配光制御装置が天井部及び壁部のうち少なくとも一方またはその近傍に設置されたことを特徴とする温室。
【請求項１１】
配光制御装置が二重構造の透明板の間に挟持された配光パネルにより天井部及び壁部のうち少なくとも一方が形成されている請求項１０に記載の温室。
【発明の詳細な説明】
【技術分野】
【０００１】
この発明は、駆動手段を有することなく、太陽光を採光し、あるいは人工光源からの光束を制御する技術に関するものである。
【背景技術】
【０００２】
本出願人の出願による特許文献１に開示されたベネチアン型ブラインドは、透明な各羽根を二分した屋外側部分の上表面に直角横断面が概ね円の一部を形成する多数の突条を互いに十分に近接して羽根の長手方向に直交するように並べた構造を与え、この面により反射した陽光が突条の並びによりその突条の長手方向に平行な軸を中心にほぼ対称に拡散してすぐ上に位置する羽根の室内側部分の下面に入射し、この羽根の長手方向に同様に与えられた突条の並びにより長手方向に平行な軸を中心としてほぼ対称に拡散透過され、室内に向かって広く拡散されるものであった。
【０００３】
また、特許文献１には、同様の突条の並びを有する板状またはフィルム状の構造体の面を透過する拡散光により物陰となる区域や部分、あるいは特定区域や部分に光を導入したり、ランプの光束を均一に拡散して眩しさを減らす配光制御装置も開示されている。
【０００４】
【特許文献１】特開２００２−８１２７５号公報
【発明の開示】
【発明が解決しようとする課題】
【０００５】
しかしながら、このようなブラインドや配光制御装置に求められる突条の並びは高度の製造技術が要求されることより、その満足できる形状、機能を安定して実現することは容易ではない。そのため、大きな方位角での入射光に対する拡散光束の対称性が十分でなかった。また、構造体の面を透過した拡散光の利用においても、構造体の表面反射により多くの光が減じられ、エネルギー利用効率向上の余地を残すものであった。
【０００６】
この発明はこのような問題点を解消するためになされたもので、効率のよい拡散光束の利用を可能とする配光制御方法及び装置を、今日の技術水準の限界に近い製造技術のさらなる向上に求めるのではなく、構造体の設計上及び使用上の工夫により実現することを目的とする。
また、この発明は、このような配光制御装置を用いた温室を提供することも目的としている。
【課題を解決するための手段】
【０００７】
この発明に係る配光制御方法は、少なくとも光透過性または光反射性を有する板状またはフィルム状の構造体であって、少なくともその一面上に互いに平行で且つ十分に近接して並ぶ多数の突条を有すると共にその突条の長手方向に直交する突条の断面がほぼ円の一部を形成し、それらの突条の表面が実質的な鏡面である構造体の多数の突条に光を入射させ、入射点を通り且つ突条に平行な線を中心軸として円錐面状または半円錐面状に光を拡散させる方法である。
【０００８】
ここで、「実質的な鏡面」は以下のように定義することができる。
構造体の所定の表面の凹凸が光の波長に比べ十分小さい面への入射光は鏡面反射をし、一方、凹凸が光の波長と同程度かそれ以上のときは乱反射（拡散反射）をすることが知られている。鏡面反射をする表面は一般に「鏡面」と呼ばれる。
対象とする表面の大部分が「鏡面」あるいは概ね均一に分散された「鏡面」により構成されている場合、所定表面の面積に対する鏡面部面積の総和の割合（鏡面率とする）がその面の用途において妥当な範囲にあると考えられるものを「実質的鏡面」と定義する。例えば、鏡はその求められる機能上、入射光の大部分が鏡面反射をしなければならず、鏡面率はおよそ０．９以上であろう。
【０００９】
この発明に係る配光制御装置は、それぞれ少なくとも光透過性または光反射性を有する板状またはフィルム状の構造体であって、少なくともその一面上に互いに平行で且つ十分に近接して並ぶ多数の突条を有すると共にその突条の長手方向に直交する突条の断面がほぼ円の一部を形成し、それらの突条の表面が実質的な鏡面である複数枚の構造体を、互いの突条が平行になり且つ互いの面が所定の間隔を隔てて平行に対向するように配列し、各構造体の突条に入射した光のその突条に平行な線を中心軸とする円錐面状または半円錐面状に伝播する拡散光が配光しようとする方向に向けられるものである。
【００１０】
なお、好ましくは、各構造体の両面上にそれぞれ多数の突条が形成される。
また、各構造体を細長い板状またはフィルム状に形成し、多数の突条を各構造体の長手方向と交錯する方向に沿って形成することができる。この場合、各構造体は、長手方向に直交する断面が屈曲形状またはＶ字形状を有していてもよい。
複数枚の構造体の配列方向に対する各構造体の角度を変化させる調整機構をさらに備えることが好ましい。
【００１１】
この発明の配光制御装置を、外光が差し込まれる窓に設置すると共に窓の面に沿って複数枚の構造体を配列して各構造体の突条による拡散光を室内に向かって取り入れたり、建造物の日陰となる部分の上方で且つ外光が差し込まれる箇所に設置して各構造体の突条による拡散光を建造物の日陰となる部分に向かって取り入れたり、温室の天井部及び壁部のうち少なくとも一方またはその近傍に設置して各構造体の突条による拡散光を温室内部に向かって取り入れることができる。
【００１２】
また、この発明に係る温室は、上述した記載の配光制御装置が天井部及び壁部のうち少なくとも一方またはその近傍に設置されたものである。
なお、配光制御装置が二重構造の透明板の間に挟持された配光パネルによって温室の天井部及び壁部のうち少なくとも一方を形成することもできる。
【発明の効果】
【００１３】
この発明によれば、今日の技術水準の限界に近い製造技術のさらなる向上に求めることなく、光の拡散の対称性の向上を図ることができると共に効率のよい拡散光束の利用が可能となる。
【発明を実施するための最良の形態】
【００１４】
以下、この発明の実施の形態を添付図面に基づいて説明する。
本願発明者は、種々の径の光ファイバ及び丸棒を用いて突条を有する光拡散構造体を試作し、拡散の配光分布を調べた結果、多数の突条が互いに平行で且つ十分に近接して並べられ、各突条の断面の曲縁が円弧であり、突条の表面がほぼ鏡面を示す場合には、構造体の表面のある点ｉに入射する光線Ａは、上述の突条の並びによる回折効果により、反射においても透過においても、点ｉを頂点とする円錐の面状に拡散し、かかる拡散光束において、拡散反射光束は縦半分の円錐の面状に拡がり、拡散透過光束は残る縦半分の円錐の面状に拡がることを判明した。
【００１５】
かかる円錐の面状の拡散は、さらに次のような特性を有する。まず、図１に示すように、点ｉを通り、突条Ｕの長手方向に平行な直線をＹ軸とし、これと直交するＸ軸及びＺ軸を加える直交座標系を想定する。この直交座標系において、平面状の構造体の厚さを無視することにすると、ＹＺ面が当該構造体となり、これを面Ｓとし、点ｉの下方の座標原点ＯでＹ軸と直交するＸＺ面を面Ｔ、点ｉを通りＺ軸に平行な軸をＺ’軸、Ｚ’軸を含み面Ｓと鋭角αで交錯する面を面Ｐとする。
【００１６】
面Ｐ上を進み、点ｉにおいて面Ｓに入射する光線Ａは、面Ｓを鏡面と想定した場合の反射光線及び透過光線と面Ｔとの交点をそれぞれａ及びａ’とし、これらの点ａ及びａ’と原点Ｏとを結ぶ線分Ｏａ、Ｏａ’を半径とする円の半周がそれぞれ光線Ａの拡散反射光束及び拡散透過光束の面Ｔによる断面となる。ここで、当該構造体の面Ｓへの入射光線Ｂのように、その入射点ｉを通り且つ突条Ｕと平行で面Ｓに直交するＸＹ面と交わる鋭角βが大きくなるに従って、拡散光束の拡がりは大きくなることとなる。
【００１７】
また、その拡散光束の拡散方向における輝度は、面Ｓを平面の鏡面と想定した場合の反射光線及び透過光線の方向を最大値とし、この最大値の方向より離れるに従ってその輝度は最大値の方向との角度に対するある一様な関係で低くなる。このような拡散光束の拡散方向における輝度分布（以下、拡散光束の輝度分布とする）は、突条断面の円周角、最大径、突条相互の近接の度合いを選択することによって、より均一な分布とすることができる。
【００１８】
これらの選択の例として、半径１ｍｍ、０．５ｍｍ、０．１２５ｍｍのそれぞれの突条に対して突条断面の円周角及び突条相互間の間隔を変化させ、以下に述べるこの発明の適用分野における配光制御装置としての性能の許容度を技術者Ｈ１、市場開発者Ｈ２、営業予定者Ｈ３の計３名によりそれぞれ評価した。その評価結果を次の表１に示す。なお、評価は、１：適用可能、２：使用目的によって適用の可否が別れる、３：適用困難の３段階に分けて行われた。
【００１９】
【表１】
2006073366.tif 000003
【００２０】
実施の形態１．
図２に実施の形態１に係る配光制御装置を示す。この配光制御装置は、それぞれ上述したような多数の突条Ｕを有する細長い板状またはフィルム状の複数枚の構造体１を備えている。各構造体１において、突条Ｕは構造体１の長手方向に交錯する、具体的には直交する向きに形成されている。これらの構造体１は、互いの突条Ｕが平行になると共に互いの面が所定の間隔ｄを隔てて平行に対向するように配列されている。なお、図２においては、突条Ｕがその形成方向を示すために単純な線分によって模式的に表されているが、実際には、断面がほぼ円の一部を形成し且つ表面が実質的な鏡面である突条Ｕが構造体１の表面上に互いに十分に近接して並設されている。
【００２１】
各構造体１は、光透過性及び光反射性を兼ね備えており、図２に示されるように、構造体１の表面の点ｉに、ある入射角で光線Ｌが入射すると、突条Ｕの並びによる回折効果により、反射においても透過においても、点ｉを頂点とし且つ突条Ｕに平行な線を中心軸Ｃとする円錐の面状に拡散し、拡散反射光束Ｆｒは縦半分の円錐の面状に拡がり、拡散透過光束Ｆｔは残る縦半分の円錐の面状に拡がる。ここで、拡散光束の中心軸Ｃは光線Ｌの入射角にかかわらず常に突条Ｕに平行な方向を向き、例えば、図３（Ａ）に示されるように、構造体１の表面への入射角がθ１の入射光線Ｌ１も入射角がθ２の入射光線Ｌ２も共に同一方向を向いた中心軸Ｃを有する円錐の面状に拡散する。
【００２２】
そこで、配光しようとする方向に各構造体１の突条Ｕが向くように配光制御装置を配置する。これにより、各構造体１の表面に入射した光が反射においても透過においても、それぞれ突条Ｕに平行な方向すなわち配光しようとする方向に向いた中心軸Ｃを有する円錐の面状に拡散する。このようにして、所望の方向へ効率よく光を拡散させて配光することが可能となる。
【００２３】
なお、構造体１が少なくとも光透過性を有する場合には、突条Ｕは構造体１の互いに対向する主面のいずれに形成されていてもよい。例えば、図２における構造体１は、その上面に突条Ｕを有していたが、下面に突条Ｕを形成することもできる。互いに対向する主面の双方にそれぞれ突条Ｕを形成すれば、さらに拡散効果が向上する。
また、構造体１が光反射性を有さずに光透過性のみを有する場合には、図２において拡散透過光束Ｆｔが下側の縦半分の円錐の面状に拡がるのみとなるが、同様にして所望の方向への配光が可能となる。
【００２４】
逆に、構造体１が光透過性を有さずに光反射性のみを有する場合には、図２において拡散反射光束Ｆｒが上側の縦半分の円錐の面状に拡がるのみとなり、同様にして所望の方向への配光が行われる。このように、構造体１が光反射性のみを有する場合は、構造体１の互いに対向する主面のうち、入射光線が照射される面にのみ突条Ｕを形成すればよい。ただし、両面に突条Ｕを形成すれば、図３（Ｂ）の入射光線Ｌ３のように、下側の構造体１の上面の突条Ｕによる拡散反射光束が直上に位置する構造体１の下面の突条Ｕで拡散されるため、より効率のよい拡散配光が実現される。
【００２５】
突条Ｕとしては、例えば図４（Ａ）〜（Ｈ）に示されるような各種断面のものを用いることができるが、ほぼ円の一部を形成し、突条Ｕの表面が実質的な鏡面であることが必要である。また、各突条Ｕの径は３ｍｍ未満で且つ５０μｍ以上のものが好ましい。
図４（Ａ）、（Ｅ）、（Ｇ）及び（Ｈ）に示すように互いに隣接する突条Ｕの円弧を接続して構造体１を形成する場合には、実際の商業生産の技術上の制約により、図５に示す如く突条Ｕの円弧の円周角は１４０度以上で円弧の終点からその接線方向に直線部を突条Ｕの頂点より突条Ｕの半径にほぼ等しい深さに達するまで設け、この点で隣の突条Ｕと接するようにしたことで押し出し成形による商業生産が可能になる。
【００２６】
実施の形態２．
実施の形態２に係る配光制御装置を図６に示す。この配光制御装置は、実施の形態１の配光制御装置において、互いに平行な複数枚の構造体１の角度を変化させる調整機構２を備えたものである。調整機構２としては、汎用のブラインドの複数の羽根の傾きを変化させる機構を用いることができる。
調整機構２を備えているので、配光しようとする方向に応じて容易に各構造体１の角度を変化させることができる。
【００２７】
実施の形態３．
実施の形態１の配光制御装置においては、各構造体１が平板形状を有していたが、図７に示されるように、長手方向に直交する断面が屈曲形状またはＶ字形状を有する構造体１を使用することもできる。すなわち、構造体１は、その長手方向に二分された外側部分３と内側部分４とを有し、これら外側部分３及び内側部分４の表面３ａ及び４ａ上にそれぞれ長手方向に直交する向きに突条Ｕが形成されている。また、構造体１は光透過性及び光反射性を兼ね備えているものとする。
図８に示されるように、このような屈曲した断面形状を有する複数枚の構造体１を互いに平行に所定の間隔を隔てて配列することにより、この実施の形態３に係る配光制御装置が構成されている。
【００２８】
例えば、太陽光や人工光等、光源からの光が差し込む側に外側部分３を位置し、配光しようとする方向に内側部分４の突条Ｕを向けて、この配光制御装置を配置する。入射光線Ｌ４のように、内側部分４の表面４ａ上に直接入射する光は、突条Ｕの並びによる回折効果により、反射においても透過においても、突条Ｕに平行な線を中心軸Ｃとする円錐の面状に拡散する。構造体１が屈曲した断面形状を有するので、入射光線Ｌ５のように、外側部分３の裏面３ｂ上に入射すると、この外側部分３の裏面３ｂで反射した光が直下の構造体１の内側部分４の表面４ａ上に入射し、ここで突条Ｕに平行な線を中心軸Ｃとする円錐の面状に拡散する。また、入射光線Ｌ５のうち、外側部分３を透過した光は外側部分３の表面３ａの突条Ｕで拡散し、さらに、その拡散光のうち内側部分４の表面４ａ上に入射した光がその表面４ａの突条Ｕで中心軸Ｃとする円錐の面状に拡散する。この配光制御装置における最終的な拡散方向は、内側部分４の突条Ｕが向けられた方向により決定され、これが配光の方向となる。このように、屈曲した断面形状の構造体１を用いることによって、より効率よく光源からの光を取り入れて、配光しようとする方向に光を拡散させることができる。
【００２９】
なお、突条Ｕは構造体１の外側部分３及び内側部分４の表面３ａ及び４ａではなく、これらの裏面３ｂ及び４ｂに形成されていてもよい。外側部分３及び内側部分４の一方の表面と他方の裏面にそれぞれ突条Ｕを形成することもできる。
【００３０】
さらに、好ましくは、外側部分３及び内側部分４の表面３ａ及び４ａと裏面３ｂ及び４ｂの双方にそれぞれ長手方向に直交する向きに突条Ｕが形成される。このようにすれば、図９に示されるように、例えば、入射光線Ｌ６のように、外側部分３の裏面３ｂに入射する光は、ここで外側部分３の裏面３ｂの突条Ｕに平行な線を中心軸Ｃ１とする円錐の面状に拡散し、拡散反射光束が直下の構造体１の内側部分４の表面４ａ上に入射して、この内側部分４の表面４ａの突条Ｕに平行な線を中心軸Ｃ２とする円錐の面状にさらに拡散する。また、外側部分３の裏面３ｂで拡散された拡散透過光束は、同じ構造体１の内側部分４の表面４ａ上に入射して、この表面４ａの突条Ｕに平行な線を中心軸Ｃ２とする円錐の面状にさらに拡散する。
【００３１】
なお、構造体１は光透過性または光反射性のいずれかのみを備えるものであってもよい。
また、この実施の形態３の配光制御装置においても、実施の形態２に示した調整機構２を設けて各構造体１の角度を変化し得るように構成することが好ましい。
【００３２】
実施の形態４．
さらに、図１０に示されるように、長手方向に直交する断面が湾曲形状を有する構造体１を使用し、この構造体１を複数枚互いに平行に所定の間隔を隔てて配列することもできる。湾曲した表面上に長手方向に直交する向きに突条Ｕが形成されている。構造体１が湾曲しているために、入射光線が入射した点の湾曲の接線方向を向いた線を中心軸とする円錐の面状に拡散がなされる。従って、一方向でなく、ある角度範囲内に拡がった中心軸を有する円錐面状の拡散が生じ、広い範囲にわたってより均一な配光を行うことが可能となる。
【００３３】
また、図１１に示されるように、長手方向に直交する断面が菱形あるいは矩形の形状を有する構造体１を使用し、この構造体１を複数枚互いに平行に所定の間隔を隔てて配列することもできる。構造体１の表面上に長手方向に直交する向きに突条Ｕが形成されている。この場合、配光しようとする方向に向けられた２つの表面５及び６上の突条Ｕの並びにより、表面５に入射した光は表面５の突条Ｕに平行な線を中心軸Ｃ５とする円錐の面状に拡散し、表面６に入射した光は表面６の突条Ｕに平行な線を中心軸Ｃ６とする円錐の面状に拡散する。従って、２方向に向かって円錐面状の拡散が生じ、より均一な配光を行うことが可能となる。
なお、図１０に示した構造体１及び図１１に示した構造体１は、それぞれ光透過性及び光反射性を兼ね備えていてもよく、あるいは光透過性及び光反射性のいずれか一方のみを備えるものでもよい。
【００３４】
実施の形態５．
図１２に実施の形態５に係る配光制御装置を示す。この配光制御装置は、配光しようとする領域Ｑの上方に例えば実施の形態１に示した構造体１の表面がそれぞれ鉛直方向を向くように互いに平行に所定の間隔を隔てて水平方向に配列したものである。なお、各構造体１の突条Ｕは鉛直方向を向いている。
このように配置された各構造体１の表面に斜め上方から太陽光等が入射すると、突条Ｕと平行に鉛直下方を向いた線を中心軸Ｃとする円錐の面状に拡散が生じ、これにより下方に位置する領域Ｑに均一な配光がなされる。
【００３５】
図１３に示されるように、この実施の形態５に係る配光制御装置においても、実施の形態２に示した調整機構２を設けて各構造体１の角度を変化し得るように構成すれば、配光が必要とされる領域Ｑへより確実に光を導入することができる。
さらに、図１４に示されるように、複数枚の構造体１の配列を上下に２段重ねに形成することもできる。この場合、上段に位置する構造体１の配列方向と下段に位置する構造体１の配列方向を互いに交錯させる、例えば直交させることが好ましい。このようにすれば、光源からの光をより効率よく取り入れて領域Ｑに配光することができる。
【００３６】
なお、図１２及び１４に示した各構造体１は、必ずしも鉛直方向に向ける必要はなく、水平方向に対しある角度をなして光源からの光を入射し得るように配置されていればよい。
また、構造体１としては、実施の形態１に示したものに限らず、実施の形態３及び４に示したような断面形状を有する構造体を使用することもできる。
【実施例】
【００３７】
実施例１．
この発明の配光制御装置を具体的に実施した実施例１を図１５に示す。外光が差し込まれる窓７に、実施の形態１の配光制御装置が設置されている。配光制御装置の複数枚の構造体１は窓７の面に沿って配列されており、各構造体１の突条Ｕによる拡散光が室内に向かって取り入れられる。
【００３８】
実施例２．
図１６に示されるように、外光が差し込まれる天窓８に、実施の形態１の配光制御装置が設置されている。配光制御装置の複数枚の構造体１は天窓８の面に沿って配列されており、各構造体１の突条Ｕによる拡散光が上方から室内に向かって取り入れられる。
【００３９】
実施例３．
図１７に示されるように、建造物９の日陰となる部分１０の上方で且つ外光が差し込まれる箇所に、実施の形態１の配光制御装置が設置されている。配光制御装置の複数枚の構造体１は、部分１０の上方にそれぞれが鉛直方向を向きつつ、水平方向に配列されている。各構造体１の突条Ｕによる拡散光が上方から部分１０に向かって取り入れられる。
【００４０】
実施例４．
図１８に示されるように、露地栽培における栽培作物１１の上方あるいは側方に、実施の形態１の配光制御装置が設置されている。各構造体１の突条Ｕによる拡散光が上方から栽培作物１１に向かって取り入れられる。これにより、栽培作物１１により効果的に太陽光や人工光を照射することができ、栽培の促進を図ることが可能となる。
【００４１】
実施例５．
図１９に示されるように、温室１２の上方あるいは屋根の上に、実施の形態１の配光制御装置が設置されている。配光制御装置の複数枚の構造体１は、それぞれが鉛直方向を向きつつ、温室１２の屋根に沿って配列されている。各構造体１の突条Ｕによる拡散光が上方から温室１２の内部に向かって取り入れられる。
なお、図２０に示されるように、温室１２内の上部に実施の形態１の配光制御装置を設置しても、同様の効果が得られる。
配光制御装置は、温室１２の上方や温室１２内の上部に限らず、温室１２の天井部及び壁部のうち少なくともの近傍に設置すればよい。
【００４２】
実施例６．
図２１に示されるように、それぞれ樹脂あるいはガラス等からなる２枚の透明板１３及び１４を互いに間隔を隔てて平行に配し、これら透明板１３及び１４の間に多数の構造体１を有する実施の形態１の配光制御装置を挟持させた配光パネル１５を作成し、図２２に示されるように、この配光パネル１５により温室の天井部及び壁部を形成した。配光パネル１５内の各構造体１の突条Ｕによる拡散光が上方及び側方から温室の内部に向かって取り入れられる。
【００４３】
なお、配光制御装置が二重構造の透明板１３及び１４の間に挟持されているので、断熱効果によって多数の構造体１が熱から保護される。
必ずしも温室の天井部及び壁部の双方を配光パネル１５で形成しなくてもよく、天井部及び壁部のうち少なくとも一方、さらにその一部を配光パネル１５で形成するだけでも効果的である。
【００４４】
上記の実施例１〜６の他、例えば太陽電池の感光部の上方あるいは前方にこの発明の配光制御装置を設置して感光部への効率のよい配光を行うことも有効である。
【図面の簡単な説明】
【００４５】
【図１】この発明に係る配光制御方法を説明するための図である。
【図２】この発明の実施の形態１に係る配光制御装置を示す部分斜視図である。
【図３】実施の形態１の配光制御装置の作用を示す断面図である。
【図４】配光制御装置に用いられる構造体の各種形態を示す断面図である。
【図５】構造体の突条を示す拡大断面図である。
【図６】実施の形態２の配光制御装置を示す側面図である。
【図７】実施の形態３の配光制御装置に用いられる構造体を示す部分斜視図である。
【図８】実施の形態３の配光制御装置を示す側面図である。
【図９】実施の形態３の配光制御装置を示す側面図である。
【図１０】実施の形態４の配光制御装置に用いられる構造体を示す断面図である。
【図１１】実施の形態４の配光制御装置の変形例に用いられる構造体を示す断面図である。
【図１２】実施の形態５の配光制御装置を示す斜視図である。
【図１３】実施の形態５の配光制御装置の変形例を示す側面図である。
【図１４】実施の形態５の配光制御装置の他の変形例を示す斜視図である。
【図１５】実施例１の配光制御装置を示す斜視図である。
【図１６】実施例２の配光制御装置を示す断面図である。
【図１７】実施例３の配光制御装置を示す断面図である。
【図１８】実施例４の配光制御装置を示す断面図である。
【図１９】実施例５の配光制御装置を示す断面図である。
【図２０】実施例５の変形例に係る配光制御装置を示す断面図である。
【図２１】実施例６の温室に使用される配光パネルを示す部分斜視図である。
【図２２】実施例６の温室を示す断面図である。
【符号の説明】
【００４６】
１  構造体、２  調整機構、３  外側部分、４  内側部分、５，６  表面、７  窓、８  天窓、９  建造物、１０  部分、１１  栽培作物、１２  温室、１３，１４  透明板、１５  配光パネル、Ｕ  突条、Ｃ、Ｃ１，Ｃ２，Ｃ５，Ｃ６  中心軸。
【図１】
2006073366.tif 000004
【図２】
2006073366.tif 000005
【図３】
2006073366.tif 000006
【図４】
2006073366.tif 000007
【図５】
2006073366.tif 000008
【図６】
2006073366.tif 000009
【図７】
2006073366.tif 000010
【図８】
2006073366.tif 000011
【図９】
2006073366.tif 000012
【図１０】
2006073366.tif 000013
【図１１】
2006073366.tif 000014
【図１２】
2006073366.tif 000015
【図１３】
2006073366.tif 000016
【図１４】
2006073366.tif 000017
【図１５】
2006073366.tif 000018
【図１６】
2006073366.tif 000019
【図１７】
2006073366.tif 000020
【図１８】
2006073366.tif 000021
【図１９】
2006073366.tif 000022
【図２０】
2006073366.tif 000023
【図２１】
2006073366.tif 000024
【図２２】
2006073366.tif 000025